(57)【要約】【課題】  健常者であっても、視覚的には勿論のこと、触覚によっても避難経路の認知を容易とし、確実に最短距離の非常口を指示することにより誘導することができる建造物における避難経路指示構造を提供すること。【解決手段】  建造物の内部において、複数の誘導用床材１・１…が敷設されて成る避難経路の指示構造であって、これら各誘導用床材１を、基板11の上面に複数の細幅の長手凸部12・12…を平行に列成して、かつ、この長手凸部12の一端部の周縁形状を逓次的に縮幅させて尖頭12ａを形成する一方、他端部の周縁形状を方形状に形成し、建造物内部に床面には、これら複数の誘導用床材１・１…を連接して、前記長手凸部12の尖頭12ａ方向に誘導用床材１・１…を順次辿ることによって、当該建造物における最短距離の出入口Ｅに到達可能に構成するという技術的手段を採用した。【選択図】  図３
0003131802.tif 000002
【実用新案登録請求の範囲】
【請求項１】
建造物の内部において、複数の誘導用床材１・１…が敷設されて成る避難経路の指示構造であって、
これら各誘導用床材１は、基板11の上面に複数の細幅の長手凸部12・12…が平行に列成されており、かつ、この長手凸部12の一端部の周縁形状が逓次的に縮幅されて尖頭12ａが形成されている一方、他端部の周縁形状は方形状に形成されており、
建造物内部に床面には、これら複数の誘導用床材１・１…が連接されており、前記長手凸部12の尖頭12ａ方向に誘導用床材１・１…を順次辿ることによって、当該建造物における最短距離の出入口Ｅに到達可能に構成したことを特徴とする建造物における避難経路指示構造。
【請求項２】
建造物の内部において、複数の誘導用床材１・１…が敷設されて成る避難経路の指示構造であって、
これら各誘導用床材１は、基板11の上面に複数の細幅の長手凸部12・12…が平行に列成されており、かつ、この長手凸部12の一端部から離隔した位置には、先端が尖ったしずく形状の離隔凸部13が形成されており、
建造物内部に床面には、これら複数の誘導用床材１・１…が連接されており、前記離隔凸部13の尖端側方向に誘導用床材１・１…を順次辿ることによって、当該建造物における最短距離の出入口Ｅに到達可能に構成したことを特徴とする建造物における避難経路指示構造。
【請求項３】
誘導用床材１の長手凸部12の両端部の周縁形状が略半円形に成形されていることを特徴とする請求項２記載の建造物における避難経路指示構造。
【請求項４】
建造物の内部において、複数の誘導用床材１・１…が敷設されて成る避難経路の指示構造であって、
これら各誘導用床材１は、基板11の上面に複数の細幅の長手凸部12・12…が平行に列成されており、かつ、この長手凸部12の一端部近傍の上面には凹凸何れかの標示片12ｂが形成されており、
建造物内部に床面には、これら複数の誘導用床材１・１…が連接されており、前記長手凸部12の標示片12ｂ方向に誘導用床材１・１…を順次辿ることによって、当該建造物における最短距離の出入口Ｅに到達可能に構成したことを特徴とする建造物における避難経路指示構造。
【請求項５】
誘導用床材１の基板11が方形ブロック体であることを特徴とする請求項１〜４の何れか一つに記載の建造物における避難経路指示構造。
【請求項６】
誘導用床材１の長手凸部12の周縁部がテーパ状に面取りされていることを特徴とする請求項１〜５の何れか一つに記載の建造物における避難経路指示構造。
【請求項７】
誘導用板材１の使用材料が、金属、樹脂、タイル、石材の何れか単体あるいは混合物であることを特徴とする請求項１〜６の何れか一つに記載の建造物における避難経路指示構造。
【考案の詳細な説明】
【技術分野】
【０００１】
本考案は、建造物構造の改良、更に詳しくは、健常者であっても、視覚的には勿論のこと、触覚によっても避難経路の認知を容易とし、確実に最短距離の非常口を指示することにより誘導することができる建造物における避難経路指示構造に関するものである。
【背景技術】
【０００２】
周知のとおり、路上や各施設の屋内外には、視覚障害者を補助するために、棒状や点状の突起を表面に有する誘導用床材（所謂、「点字ブロック」や「点字鋲」）が敷設されており、近年では、法の整備や社会のバリアフリー化が推進され、急速に公共建築物や交通機関にも設置されるに至っている。
【０００３】
そして、かかる誘導用床材が敷設されていることにより、視覚障害者は、この誘導用床材の突起の感触を足裏で確かめながら、更に必要に応じて、突いている杖の先端を前方で左右に摺動させて障害物が無いのを確認しつゝ、その上を歩行することができる。
【０００４】
一方で、かかる誘導用床材は、健常者や高齢者にとっては、その突起によって躓くことがあり、また、車イスの走行中に車輪が引っ掛かることもあるため、有用性に乏しく、却って通行を妨害するものとも認識されかねない。
【０００５】
また、かかる誘導用床材は、既存の蓄光タイプのものやバッテリー発光タイプが知られており（例えば、特許文献１参照）、これらの併用も有効であると考えられるが、コストが嵩み、普及を阻む点で問題がある。
【特許文献１】特開２００１−３５５２１３号公報（第３−６頁、図１−６）
【考案の開示】
【考案が解決しようとする課題】
【０００６】
本考案者は、かかる誘導用床材が視覚障害者のためにしか貢献しておらず、健常者や高齢者などの歩行者や、車イス使用者にとって邪魔者扱いとされている現状に対し、特に健常者にとっても何らか有用性を見出せないものかと日々思案していた。
【０００７】
そして、本考案者は、地下鉄の駅構内などの閉鎖空間において火災が発生するなどの緊急時には、避難経路を示すための誘導灯が、熱風により焼け落ちたり、煙で見えなかったり、あるいは、猛煙により目を開けることすらできない状態となり、健常者といえども視覚を奪われた盲目状態となるであろうと考えた。また、この状況は、停電により暗闇になる場合も想定される。
【０００８】
また、本考案者は、前記誘導用床材が、通常、施設内における入口から所定の利用施設までを案内するために敷設されていることから、必ず出口方向に誘導されるという点に着目した。
【０００９】
そこで、本考案者は、突起形状の手でも触れながら方向を確認できるものであれば、たとえ視界を奪われた火災等の緊急時であっても、足や手の触覚を頼りに最寄りの出入口への避難経路を認知することができるであろうとの着想を得、床材の突起形状を設計した上で、建造物に敷設する構造として導入することによって、本考案を完成させるに至った。
【課題を解決するための手段】
【００１０】
本考案者が上記課題を解決するために採用した手段を、添付図面を参照して説明すれば次のとおりである。
【００１１】
即ち、本考案は、建造物の内部において、複数の誘導用床材１・１…が敷設されて成る避難経路の指示構造であって、
これら各誘導用床材１を、基板11の上面に複数の細幅の長手凸部12・12…を平行に列成して、かつ、この長手凸部12の一端部の周縁形状を逓次的に縮幅させて尖頭12ａを形成する一方、他端部の周縁形状を方形状に形成し、
建造物内部に床面には、これら複数の誘導用床材１・１…を連接して、前記長手凸部12の尖頭12ａ方向に誘導用床材１・１…を順次辿ることによって、当該建造物における最短距離の出入口Ｅに到達可能に構成するという技術的手段を採用することによって、建造物における避難経路指示構造を完成させた。
【００１２】
また、本考案は、各誘導用床材１を、基板11の上面に複数の細幅の長手凸部12・12…を平行に列成して、かつ、この長手凸部12の一端部から離隔した位置には、先端が尖ったしずく形状の離隔凸部13を形成し、
建造物内部に床面には、これら複数の誘導用床材１・１…を連接して、前記離隔凸部13の尖端側方向に誘導用床材１・１…を順次辿ることによって、当該建造物における最短距離の出入口Ｅに到達可能に構成するという技術的手段を採用することによっても、建造物における避難経路指示構造を完成させることができる。
【００１３】
また、本考案は、上記課題を解決するために、必要に応じて上記手段に加え、誘導用床材１の長手凸部12の両端部の周縁形状を略半円形に成形するという技術的手段を採用することができる。
【００１４】
また、本考案は、各誘導用床材１を、基板11の上面に複数の細幅の長手凸部12・12…を平行に列成して、かつ、この長手凸部12の一端部近傍の上面には凹凸何れかの標示片12ｂを形成し、
建造物内部に床面には、これら複数の誘導用床材１・１…を連接して、前記長手凸部12の標示片12ｂ方向に誘導用床材１・１…を順次辿ることによって、当該建造物における最短距離の出入口Ｅに到達可能に構成するという技術的手段を採用することによっても、建造物における避難経路指示構造を完成させることができる。
【００１５】
更にまた、本考案は、上記課題を解決するために、必要に応じて上記手段に加え、誘導用床材１の基板11を方形ブロック体にするという技術的手段を採用することができる。
【００１６】
更にまた、本考案は、上記課題を解決するために、必要に応じて上記手段に加え、誘導用床材１の長手凸部12の周縁部をテーパ状に面取りするという技術的手段を採用することができる。
【００１７】
更にまた、本考案は、上記課題を解決するために、必要に応じて上記手段に加え、誘導用板材１の使用材料を、金属、樹脂、タイル、石材の何れか単体あるいは混合物にするという技術的手段を採用することができる。
【考案の効果】
【００１８】
本考案は、誘導用床材の基板の上面に複数の細幅の長手凸部を平行に列成して、かつ、この長手凸部の一端部の周縁形状が逓次的に縮幅される尖頭を形成する一方、他端部の周縁形状を方形状に形成し、建造物内部に床面には、これら複数の誘導用床材を連接したことにより、前記長手凸部の尖頭方向に誘導用床材を順次辿ることによって、当該建造物における最短距離の出入口Ｅに到達することができる。
【００１９】
したがって、本考案の建造物における避難経路指示構造によれば、建造物で火災などの緊急事態が発生した場合に、健常者であっても、視覚的には勿論のこと、触覚によっても避難経路の認知を容易とし、確実に最短距離の非常口を指示することにより誘導することができることから、実用的利用価値は頗る高いものがある。
【考案を実施するための最良の形態】
【００２０】
本考案を実施するための最良の形態を具体的に図示した図面に基づいて更に詳細に説明すると、次のとおりである。
【００２１】
『第１実施形態』
本考案の第１実施形態を図１から図３に基づいて説明する。図中、符号１で指示するものは誘導用床材であり、この誘導用床材１は、基板11の上面に複数の細幅の長手凸部12・12…が平行に列成されるものであって、詳細については後述する。
【００２２】
しかして、本考案は、建造物の内部において、複数の誘導用床材１・１…が敷設されて成る避難経路の指示構造であって、構成するにあっては、まず、前記誘導用床材１を、基板11の上面に複数（本実施形態では４本）の細幅の長手凸部12・12…を平行に列成して、かつ、この長手凸部12の一端部の周縁形状を逓次的に縮幅させた尖頭12ａを形成する（図１および図２参照）。
【００２３】
この際、本実施形態では、誘導用床材１の基板11を方形ブロック体にすることもでき、埋込安定化するとともに、各辺を接合することにより、複数の誘導用床材１を直線状に整然と敷設させることが可能となる。
【００２４】
次いで、他端部の周縁形状は方形状に形成する。このようにすることによって、長手凸部12の各端部における形状の差異を明確化することができ、完全に視界を奪われた状態であっても、避難方向を確実に認識することができる。
【００２５】
そして、図３に示すように、建造物内部に床面には、これら複数の誘導用床材１・１…を連接する。この際、複数の出入口Ｅがある場合、各出入口Ｅへの距離がそれぞれ異なるため、最短距離となる方に敷設方向が異なる境界部分が形成されることになる。
【００２６】
かかる構造に構成することにより、前記長手凸部12の尖頭12ａ方向に誘導用床材１・１…を順次辿ることによって、当該建造物における最短距離の出入口Ｅに到達することができるのである。
【００２７】
なお、本実施形態では、誘導用床材１の長手凸部12の周縁部をテーパ状に面取りすることもでき、躓き難くすることもできる。
【００２８】
また、本実施形態では、誘導用板材１の使用材料を、金属、樹脂、タイル、石材の何れか単体あるいはこれらの材料を組み合わせた混合物（ハイブリッド材料）にすることができ、具体的には、金属材料としては、真鍮、ステンレス、アルミニウムなど、また、樹脂材料としては、エチレンプロピレンゴム、ブタジエンゴム、スチレンブタジエンゴムなどのゴム材料やポリエチレン、ポリプロピレン、ポリ塩化ビニールなど、更にまた、石材として、コンクリート、モルタル、セラミックスなどを採用することができる。
【００２９】
『第２実施形態』
次に、本考案の第２実施形態を図４および図５に基づいて説明する。本実施形態では、各誘導用床材１を、基板11の上面に複数の細幅の長手凸部12・12…を平行に列成して、かつ、この長手凸部12の一端部から離隔した位置に、先端が尖ったしずく形状の離隔凸部13を形成する。
【００３０】
このように構成したことにより、離隔凸部13は、先端が尖っており、かつ、非対称たるしずく形状であるので、尖端側方向に誘導用床材１・１…を順次辿ることによって、当該建造物における最短距離の出入口Ｅに到達することができる。
【００３１】
なお、本実施形態では、誘導用床材１の長手凸部12の両端部の周縁形状を略半円形に成形することもでき、離隔凸部13の尖端側形状との差異を、より明瞭にすることができる。
【００３２】
『第３実施形態』
次に、本考案の第３実施形態を図６および図７に基づいて説明する。本実施形態では、各誘導用床材１は、基板11の上面に複数の細幅の長手凸部12・12…を平行に列成して、かつ、この長手凸部12の一端部近傍の上面には凹凸何れか（図６では凹状、図７では凸状）の標示片12ｂを形成する。
【００３３】
このように構成したことにより、標示片12ｂを触りながら、標示片12ｂの成形方向に誘導用床材１・１…を順次辿ることによって、当該建造物における最短距離の出入口Ｅに到達することができる。
【００３４】
本考案は、概ね上記のように構成されるが、図示の実施形態に限定されるものでは決してなく、「実用新案登録請求の範囲」の記載内において種々の変更が可能であって、例えば、図８に示す様に、基体11をシート状にすることもできる。
【００３５】
また、図９（ａ）（ｂ）に示すように、基体11を床自体とすれば、長手凸部12（および離隔凸部13）を、裏面に配設したピンＰにより点字鋲のように打設することによって、指示構造を構成することもでき、これら何れのものも本考案の技術的範囲に属する。
【産業上の利用可能性】
【００３６】
本考案では、連続的に敷設した誘導用床材１における長手凸部の指向形状に技術的意義があり、避難誘導の効果を十分に発揮することができる。したがって、点字ブロックについては、すでに、日本工業規格（ＪＩＳ）となっているものもあるが、本考案品にあっても、ＪＩＳにも適合し得る構成を具備するものである。
【００３７】
また、長手凸部が列成する点で点字ブロックとしての基本的形状を具備しているため、杖を用いた歩行の際にも、従来のように、杖の先端を左右に振って誘導用床材の存在を確認することができて、頗る有効である。
【００３８】
今後、火災の発生には、地震や人為的なテロなど様々な要因も考えられることから、本考案は、視覚障害者だけでなく、健常者にとっても有効利用が可能な避難経路標示手段として社会的に認知されるべきものであり、鉄道や地下鉄の駅構内、大規模な地下街や大型ビルなど、国内外を問わず、広く産業上に利用可能であると云える。
【図面の簡単な説明】
【００３９】
【図１】本考案の第１実施形態の誘導用床材を表わす正面図である。
【図２】本考案の第１実施形態の誘導用床材を表わす斜視図である。
【図３】本考案の第１実施形態の誘導用床材の敷設構造を表わす斜視図である。
【図４】本考案の第２実施形態の誘導用床材を表わす正面図である。
【図５】本考案の第２実施形態の誘導用床材を表わす斜視図である。
【図６】本考案の第３実施形態の誘導用床材を表わす斜視図である。
【図７】本考案の第３実施形態の誘導用床材を表わす斜視図である。
【図８】本考案の実施形態の誘導用床材の変形例を表わす斜視図である。
【図９】本考案の実施形態の誘導用床材の変形例を表わす斜視図である。
【符号の説明】
【００４０】
１    誘導用床材
11    基板
12    長手凸部
12ａ  尖頭
13    離隔凸部
Ｅ    出入口
Ｐ    ピン
【図１】
0003131802.tif 000003
【図２】
0003131802.tif 000004
【図３】
0003131802.tif 000005
【図４】
0003131802.tif 000006
【図５】
0003131802.tif 000007
【図６】
0003131802.tif 000008
【図７】
0003131802.tif 000009
【図８】
0003131802.tif 000010
【図９】
0003131802.tif 000011